(57)【要約】【課題】付け替え時の安全性を担保しながら、洗浄時の作業性も良好なディスペンサヘッドを提供する。【解決手段】中心孔を液通路とした中空プランジャの上下動によりガス導入部を開閉可能に設けた本体と、該本体を着脱可能に取り付ける座部に樽の口金に取付可能な台部を一体的に設け、前記座部の座面には、中央に前記プランジャの先端が嵌入して液通路と連通可能な円筒状の液送出部を形成すると共に、該液送出部の周囲に前記ガス導入部と前記樽の内部が連通可能な通気部を形成し、さらに、該通気部を介して前記樽の内部と外部とを連通可能に前記液送出部から半径方向に貫通し、且つ、該液送出部に対する前記プランジャの先端嵌入によって閉塞可能な脱気孔を設けたアタッチメントと、該アタッチメントの前記脱気孔を常態で開弁し、手動により選択的に閉弁可能に設けた遮断弁とからなる【選択図】図１
2008254793.tif 000002
【特許請求の範囲】
【請求項１】
中心孔を液通路とした中空プランジャの上下動により外部からガス圧を導入するガス導入部を開閉可能に設けた本体と、該本体を着脱可能に取り付ける座部に樽の口金に取付可能な台部を一体的に設け、前記座部の座面には、中央に前記プランジャの先端が嵌入して液通路と連通可能な円筒状の液送出部を形成すると共に、該液送出部の周囲に前記ガス導入部と前記樽の内部が連通可能な通気部を形成し、さらに、該通気部を介して前記樽の内部と外部とを連通可能に前記液送出部から半径方向に貫通し、且つ、該液送出部に対する前記プランジャの先端嵌入によって閉塞可能な脱気孔を設けたアタッチメントと、該アタッチメントの前記脱気孔を常態で開弁し、選択的に閉弁可能に設けた遮断弁とからなることを特徴としたディスペンサヘッド。
【請求項２】
遮断弁は、脱気孔と同軸方向に突設した円筒状の弁函部と、前記同軸方向の進退運動により脱気孔を開閉可能な弁体と、該弁体を内蔵し、前記弁函部の開口側に脱気孔の開閉位置それぞれで保持可能に取り付けられるキャップ状のツマミ部とからなる請求項１記載のディスペンサヘッド。
【請求項３】
ツマミ部は内周壁にカム爪を設けてなる一方、弁函部は外周壁に前記カム爪が係合可能なカム溝を設けてなり、該カム溝は、ツマミ部に内蔵した弁体を脱気孔の開閉位置それぞれで保持可能に設けた２つの円弧溝と、この２つの円弧溝を接続する螺旋溝とからなる請求項２記載のディスペンサヘッド。
【請求項４】
ツマミ部の内周壁に雌ネジを設けてなる一方、弁函部は外周壁に前記雌ネジが螺合可能な雄ネジを設けてなる請求項２記載のディスペンサヘッド。
【請求項５】
弁体は、着座部に脱気孔に挿入可能な先端部を設けてなる請求項２から４のうち何れか一項記載のディスペンサヘッド。
【発明の詳細な説明】
【技術分野】
【０００１】
本発明は、ビール樽や洗浄用樽に取り付けて使用するディスペンサヘッドに係り、付け替えやサーバ洗浄に際して、樽内のガス内の保持と開放を任意に行うようにした構造に関するものである。
【背景技術】
【０００２】
ディスペンサヘッドは、レバーの上げ下げによってプランジャ（プローブ）を上下動させ、ビールの送出路とガス圧の導入路を同時に開閉する機構を有し、導入したガス圧によって樽内の液面を押し下げた分量の飲料を送出可能としている（特許文献１等参照）。また、一般的なディスペンサヘッドでは、レバーを下げ位置とすることで飲料が送出可能となる一方、上げ位置では各路を閉じて送出停止状態となる。
【０００３】
こうしたディスペンサヘッドは、飲料の送出だけでなく洗浄液の送出にも使用することができるため、例えば飲食店では営業終了後、ディスペンサヘッドをビール樽から洗浄液（通常は水）を入れた洗浄用樽に付け替えて、ビールサーバを日常的に洗浄している。なお、ディスペンサヘッドは樽の口金に固定されたアタッチメントに着脱可能に取り付けられており、付け替えは、ディスペンサヘッドのレバーを持ち、全体を回すことによって行う。
【０００４】
こうした洗浄に際して、ディスペンサヘッドを付け替える場合、先ず、レバーを上げ位置とした上で、炭酸ガスの元栓を閉める操作が必要である。ただし、この段階では、まだ樽内に高圧のガスが残留しているため、即座にディスペンサヘッドを取り外せば、当該残圧によって樽内の液体が激しく噴出する他、場合によっては、ディスペンサヘッドが吹き飛ぶという暴発事故を招来する危険性がある。従って、さらに残圧を抜く作業が必要であるが、従来は、上述の操作後、再度レバーを下げ位置にするか、もしくは、樽に常閉の安全弁（リリーフ弁）が別途設けられている場合は、当該安全弁を開弁するなどして、樽内の残圧を抜いていた。
【０００５】
他方、残圧の抜き取り作業を失念したことによる暴発事故が完全になくならない実状に鑑み、プランジャ（プローブ）の先端付近にリング状パッキンを嵌挿すると共に、ディスペンサヘッドのアタッチメント（取付座）にはプローブの上下に伴って前記パッキンにより開閉可能な脱気孔を設けた構成が提案された（特許文献２参照）。当該構成によれば、レバーを上げ位置とした同時に脱気孔が開状態となって、当該脱気孔を通じて樽の内部と外部が連通することにより内圧が自動的に開放されるため、ディスペンサヘッドの付け替えに際して、残圧の抜き取り作業が不要となった。
【０００６】
また、特許文献２とは別に、前記脱気孔（通気孔）に常態で閉弁する押しボタン式の安全弁（排気弁）を取り付けたものも提案されている（特許文献３参照）。
【０００７】
【特許文献１】特開２００２−８００９２号公報
【特許文献２】特開平１０−１５７８００号公報
【特許文献３】特開平１１−２０８９８号公報
【発明の開示】
【発明が解決しようとする課題】
【０００８】
上述した従来技術のうち、特許文献２に開示の構成によれば、レバーを上げ位置とすることで残圧が自動的に抜き取られるため、付け替え時の安全性が高まる。しかしながら、付け替え以外の目的でレバーを上げ位置とした場合は、残圧を無駄に放出することになる。これは、例えば、液洗浄とスポンジ洗浄を連続して行う場合には不便であった。即ち、サーバの洗浄方法には、洗浄液の圧送による液洗浄と、スポンジ玉を圧送するスポンジ洗浄を併行する方法があるが、スポンジ洗浄を行う場合は、液洗浄の終了後、一旦、レバーを上げて送出停止状態としてからスポンジ玉を液通路に投入する。そして、当該投入後、再度、レバーを下げることにより、一般的にはガス供給を元栓から停止していても、樽の残圧によってスポンジ玉を圧送することができる。しかし、特許文献２に開示の構成を採用すると、レバーを下げ位置とした段階で残圧全てが抜き取られるため、スポンジ玉を圧送するためには、再度、ガス供給の元栓を開弁するなどして、樽内を高圧状態にする必要があり、洗浄作業を続けて行えないという不便があった。
【０００９】
この点、特許文献３に開示の構成によれば、安全弁は常態で閉弁しているため、レバーの上げ下げに依存することなく樽内残圧の保持が可能であり、液洗浄とスポンジ洗浄を連続して行うことができる。しかしながら、これを逆に言えば、ディスペンサヘッドの付け替え時には、残圧抜き取りのために安全弁の開弁操作が必要となり、これを失念すれば上述した暴発事故を招く恐れがあることから、安全性に関して従来と全く同じ問題点を指摘することができる。また、残圧を完全に開放するには、ボタンを押し続けなければならないことから、必ずしも作業性がよいとは言えなかった。
【００１０】
本発明は上述した課題を解決するためになされたもので、その目的とするところは、付け替え時の安全性を担保しながら、洗浄時の作業性も良好なディスペンサヘッドを提供することである。
【課題を解決するための手段】
【００１１】
上述した目的を達成するために本発明では、中心孔を液通路とした中空プランジャの上下動により外部からガス圧を導入するガス導入部を開閉可能に設けた本体と、該本体を着脱可能に取り付ける座部に樽の口金に取付可能な台部を一体的に設け、前記座部の座面には、中央に前記プランジャの先端が嵌入して液通路と連通可能な円筒状の液送出部を形成すると共に、該液送出部の周囲に前記ガス導入部と前記樽の内部が連通可能な通気部を形成し、さらに、該通気部を介して前記樽の内部と外部とを連通可能に前記液送出部から半径方向に貫通し、且つ、該液送出部に対する前記プランジャの先端嵌入によって閉塞可能な脱気孔を設けたアタッチメントと、該アタッチメントの前記脱気孔を常態で開弁し、選択的に閉弁可能に設けた遮断弁とからディスペンサヘッドを構成するという手段を用いた。
【００１２】
また、遮断弁は、脱気孔と同軸方向に突設した円筒状の弁函部と、前記同軸方向の進退運動により脱気孔を開閉可能な弁体と、該弁体を内蔵し、前記弁函部の開口側に脱気孔の開閉位置それぞれで保持可能に取り付けられるキャップ状のツマミ部とから構成するという手段を用いる。
【００１３】
遮断弁のより具体的な構成手段は、ツマミ部は内周壁にカム爪を設けてなる一方、弁函部は外周壁に前記カム爪が係合可能なカム溝を設けてなり、該カム溝は、ツマミ部に内蔵した弁体を脱気孔の開閉位置それぞれで保持可能に設けた２つの円弧溝と、この２つの円弧溝を接続する螺旋溝とからなる。
【００１４】
また、ツマミ部の内周壁に雌ネジを設けてなる一方、弁函部は外周壁に前記雌ネジが螺合可能な雄ネジを設けて、遮断弁を構成しても良い。
【００１５】
さらに、弁体は、着座部に脱気孔に挿入可能な先端部を設けてなることが好ましい。
【発明の効果】
【００１６】
以上説明したように本発明によれば、脱気孔は常態で開弁しているため、レバーを上げ位置とするなどしてプランジャを上昇させた液送出停止状態では脱気孔を通じて樽の残圧が自動的に開放され、アタッチメントから安全にディスペンサヘッドを取り外すことができる。一方、液洗浄とスポンジ洗浄を連続して行いたい場合のみ、遮断弁により脱気孔を閉弁することで、樽の残圧が保持され、洗浄作業を続けて行うことができる。このとき、たとえ遮断弁を閉め忘れたとしても、安全性に問題はない。さらに、本発明の遮断弁によれば、ツマミ部を回すという簡単な操作で脱気孔を開閉することができる上、開閉の各状態が保持されるからツマミ部を継続して操作する必要がない。
【発明を実施するための最良の形態】
【００１７】
以下、本発明の好ましい実施の形態を添付した図面に従って説明する。図１は、一実施形態に係るディスペンサヘッドの縦断面図であって、１は洗浄用樽、２は洗浄用樽１の口金に螺着するアタッチメント、３はアタッチメント２に着脱可能に嵌着するヘッド本体である。
【００１８】
ヘッド本体３は、胴部３ａに上下方向に摺動可能に挿入したプランジャ３ｂをレバー３ｃによって上下動させるもので、プランジャ３ｂは上端が適宜チューブによってサーバと接続され、中心孔を液通路３ｄとした中空であると共に、外周の一部を小径に形成してガス導入部３ｅとした構成である。
【００１９】
また、アタッチメント２は、上部に本体３を着脱可能に取り付ける座部２ａを設けると共に、その下部を樽１の口金に取付可能な台部２ｂとしたことであり、座部２ａの座面２ｃの中心にはプランジャ３ｂの先端が嵌入可能な円筒状の液送出部２ｄが設けられ、さらに、この液送出部２ｄを取り囲むように前記座面２ｃに通気部２ｅを形成して、ガス導入部３ｅを通じて導入されたガス圧を樽内に連通させるようにしている。
【００２０】
さらに、アタッチメント２には、プランジャ３ｂの先端嵌入範囲において、液送出部２ｄから半径方向に外部まで貫通して形成した脱気孔４が設けられており、さらにアタッチメント２の横面には前記脱気孔４と同軸方向に遮断弁５が設けられている。この遮断弁５は、脱気孔４を常態で開弁するものであり、後述するように、手動により選択的に脱気孔４を閉弁するものである。なお、プランジャ３ｂの嵌入先端には円筒状のパッキンＰが周設されており、この先端部が液送出部２ｄに嵌入したとき、脱気孔４は前記パッキンＰによって内側から閉塞される。
【００２１】
図２は、遮断弁５を詳述に示した分解斜視図であって、アタッチメント２の外部において脱気孔４と同軸方向に円筒状の弁函部６を突設すると共に、この弁函部６の開口側に取付可能なキャップ状のツマミ部７に弁体８を内蔵してなる。弁体８は、着座部８ａの先端側に脱気孔４に挿入可能な先端部８ｂを設けてなる。先端部８ｂは開閉弁操作時に脱気孔４に出入して弁体８をガイドするものであるが、省略することも可能である。この弁体８は、ツマミ部７を回転操作することで脱気孔４を開閉するものである。即ち、ツマミ部７の内周壁にはカム爪７ａが内向きに突設されていると共に、これに対応して弁函部６の外周壁にはカム爪７ａが係合可能なカム溝９が形成されており、ツマミ部７を回転させれば弁体８と共に前記同軸方向に進退可能としたものである。特に、この実施形態では、カム溝９として、弁体８を開閉位置それぞれに保持する２つの円弧溝１０ａ・１０ａを螺旋溝１１によって接続している。なお、ツマミ部７はそのカム爪７ａを常態で、弁函部６先端側の円弧溝１０ａと係合させており、当該遮断弁５は通常、脱気孔４を開弁している。
【００２２】
上述の構造からなるディスペンサヘッドは、先ず、基本的な動作として、レバー３ｃを上げ位置としたときは（図１の状態）プランジャ３ｂが上昇して、本体３の胴部３ａにおいて炭酸ボンベと別途接続される外部ガス連結部３ｆの上下シーリング３ｇ・３ｈ間にガス導入部３ｅが位置してガス導入を遮断、即ち液送出停止状態となる一方、レバー３ｃを下げ位置とした場合は、外部ガス連結部３ｆとガス導入部３ｅが連通して導入されたガスが通気部２ｅを通じて樽１に印加されると同時に、プランジャ３ｂの先端が液送出部２ｄに嵌入することで液送出可能状態となる。
【００２３】
この基本的動作において脱気孔４は、レバー３ｃが下げ位置にあるとき、プランジャ３ｂの先端パッキンＰによって必ず閉塞される。従って、液送出可能状態で液やガスが脱気孔４から漏れることはない。
【００２４】
一方、図１に示したように、レバー３ｃを上げ位置（液送出停止状態）とすれば、パッキンＰによる脱気孔４の閉塞は解除され、樽内の残圧は通気部３ｅを通じて座面２ｃの上部側に回り込み、さらに液送出部２ｄを介して脱気孔４に作用する。そして、遮断弁５は上述のように常態で開弁しているため、樽内の残圧は脱気孔４から開放される。従って、本体３をアタッチメント２から安全に取り外すことができ、付け替えも安全に行うことができる。
【００２５】
これに対して、本ディスペンサヘッドを洗浄用樽に取り付けている場合で、液洗浄とスポンジ洗浄を連続して行うときは、手動により選択的に遮断弁５を閉弁する。遮断弁５の閉弁タイミングは、液洗浄後、レバー３ｃを上げ位置とする前に行うのが好ましい。こうした遮断弁５による脱気孔４の閉弁操作によって、樽１の残圧が保持されるから、その後、レバー３ｃを再度下げ位置とすることで、残圧を無駄にすることなく、スポンジ洗浄を液洗浄と連続して行うことができる。
【００２６】
このとき、仮に、遮断弁５を閉弁し忘れたとしても、残圧が開放されるだけで、安全性に問題はなく、洗浄開始のために、このままレバー３ｃを下げ位置とすれば、プランジャ３ｂの先端パッキンＰによって脱気孔４が閉塞され樽１は密封状態となるから、樽１が所定の内圧に復帰した時点でスポンジ洗浄を行うことができる。
【００２７】
なお、上記実施形態では、遮断弁５の構造として、弁体８に脱気孔４に挿入可能な先端部８ｂを設けることによって、弁体８の進退を確実にガイドする機能を持たせているが、この先端部８ｂを省略することも可能である。また、弁函部６とツマミ部７のカム結合によって弁体８の開閉動作および位置固定を達成しているが、カム結合に代えて、弁函４ａとツマミ部７を螺合結合した場合も同様の作用を得ることができる。
【図面の簡単な説明】
【００２８】
【図１】本発明の一実施形態に係るディスペンサヘッドの縦断面図
【図２】同、遮断弁の分解斜視図
【符号の説明】
【００２９】
１  樽
２  アタッチメント
３  本体
４  脱気孔
５  遮断弁
９  カム溝
【図１】
2008254793.tif 000003
【図２】
2008254793.tif 000004